(57)【要約】【課題】頁片の差し替えが簡単で、総頁数が多少増減しても見栄えが悪くなったり頁片が抜け落ち易くなったりせず、しかも、心無い顧客が頁片を抜き取ってしまう悪戯をも効果的に防止できる、飲食店用のメニューブックなどに好適なファイルブックを提供する。【解決手段】断面略四角状の筒体の一壁面が内方へ陥没され、その中央長手方向にスリット１２が形成されたクリップ部材１０の他三壁面を、略コ字状に折り曲げた表紙部材の背表紙部２３と表裏両表紙部２１、２２の背表紙部近傍部分とでくるみ、スリット１２に頁片３０を挿入し、クリップ部材１０、表裏両表紙部２１、２２及び頁片３０の天地方向複数箇所で、各々の緊結具挿入用孔１５、２４、３１を貫通するように緊結具（雄ネジ４１、雌ネジ４２）を挿入し、所定の工具で緊結係止したファイルブックである。【選択図】図４
2009066910.tif 000002
【特許請求の範囲】
【請求項１】
断面略四角状の筒体の一壁面が内方へ陥没されて陥没壁面が形成され、該陥没壁面の中央長手方向にスリットが形成され、該陥没壁面に隣接する両側面には長手方向に複数箇所であって互いに対応する箇所に緊結具挿入用孔が形成されてなるクリップ部材と、
表表紙部と、前記クリップ部材の陥没壁面に対向する底面の幅に相当する幅の背表紙部と、裏表紙部とが相互の境界部において折り曲げ可能にこの順に連接され、表表紙部及び裏表紙部の背表紙部近傍部分の天地方向に複数箇所であって前記クリップ部材の緊結具挿入用孔に対応する箇所に緊結具挿入用孔が形成されてなる表紙部材と、
一端辺が前記クリップ部材のスリットに挿入可能に形成され、当該端辺近傍の天地方向に複数箇所であって前記クリップ部材の緊結具挿入用孔に対応する箇所に緊結具挿入用孔が形成されてなる、少なくとも一枚の頁片と、
緊結状態において、前記クリップ部材、前記表紙部材及び前記表紙部材の緊結具挿入用孔に挿入可能な断面形状を有する柱状部と、該柱状部の長さ方向両端部に接続された、少なくとも前記表紙部材及び前記クリップ部材の緊結具挿入用孔に挿入不可能な断面形状を有する頭状部とを有し、少なくとも、前記クリップ部材の陥没壁面に隣接する両側面間の距離と、前記表紙部材の表表紙部の背表紙部近傍部分の厚みと、前記表紙部材の裏表紙部の背表紙部近傍部分の厚みとの和に相当する距離を、所定の工具を用いて可逆的に緊結及び解放可能な複数個の緊結具と、を少なくとも具備し、
前記表紙部材を表表紙部、背表紙部、裏表紙部の相互の境界部で折り曲げて断面略コ字状になし、その背表紙部の内面に前記クリップ部材の陥没壁面と対向する底面を、表表紙部及び裏表紙部の背表紙部近傍部分の内面に該クリップ部材の陥没壁面に隣接する両側面をそれぞれ宛がい、且つ、該クリップ部材のスリットに前記少なくとも一枚の頁片の緊結具挿入用孔が形成された側の端辺を挿入した状態で、その天地方向の複数箇所において、表紙部材の表表紙部及び裏表紙部、クリップ部材の両側面及び頁片のそれぞれの緊結具挿入用孔を緊結具の柱状部が貫通し、表紙部材の表表紙部及び裏表紙部の外面の緊結具挿入用孔の近傍部分が緊結具の頭状部によって押えられるように、前記表紙部材、前記クリップ部材及び前記頁片が緊結具により緊結係止されてなることを特徴とするファイルブック。
【発明の詳細な説明】
【技術分野】
【０００１】
本発明は、飲食店のメニューブックや宿泊施設のガイドブックなどとして好適に使用される差し替え可能なファイルブックに関する。
【背景技術】
【０００２】
レストランなどの飲食店で使用されるメニューブックは、新作メニューや季節メニューの追加や廃止メニューの削除などの作業が頻繁に発生するため、メニューを記載した頁片の追加及び取り外しが簡単にできることが望まれる。とは言っても、オフィスなどでよく使われている書類整理用のフラットファイルやパイプファイルなどとは異なり、接客用として見栄えのするスマートな外観が要求されるのは勿論のこと、例えば季節メニューのある（多い）時季とない（少ない）時季とによって、或いはフランチャイズ方式のチェーン店における店舗間のメニューの品揃えの違いによって、メニューブック全体の総頁数も多少増減する場合があるので、総頁数が多少増減しても強度が低下したり体裁が見苦しくなったりしないことが望まれる。
【０００３】
このような要求を満たすためには、例えば、特許文献１に記載のペーパークリップを使用して、各頁片を綴じてメニューブックを製作することが考えられる。このペーパークリップは、ホチキス針などで止めた頁片の束の端部をクリップ本体のスリットに滑り込ませるだけで頁片を綴じ込むことができるとともに、その滑り込ませたときと逆の要領でスリットから引き抜くことで、頁片を簡単に差し替えることができる。また、スリットの両側の陥没壁面の弾力性を利用することで、頁片の枚数が多少増減しても一応綴じ込み可能であり、枚数が少なくても頁間が空けてしまって見栄えが悪くなるようなことも一応ない。しかしながら、このペーパークリップが頁片の束を保持する力は、もっぱらスリットの両側の陥没壁面の弾力性によっているので、頁片の枚数が少なく頁片の束が薄い場合には保持力が低下することは否めず、メニューブックを床に落としたり顧客が頁片を無理に引っ張ったりした場合に、頁片の束が抜け落ちてしまう事故を防ぐことは難しい。
【０００４】
上記の欠点を改善したものとして、特許文献２に記載のメニューブックの提案もある。これは、頁片の束を断面Ｕ字状スライド片によって綴じて固着してから、それをスリット状の開口部を有するファイル留め具の内部にスライドしながら挿入するので、頁片の枚数が少ない場合でもスライド片がファイル留め具のスリット状の開口部に引っ掛かって抜け落ちを防ぐので、床に落としたり頁片を引っ張ったりしても頁片がファイル留め具から簡単に抜け落ちてしまう心配は一応ない。しかし、上記した特許文献１に記載のペーパークリップを使用した場合と比較すれば、部品数が多くしかも構造も複雑なので、ファイルブックの製作にも頁片の差し替え作業にも手間がかかる。さらに、顧客がその気になれば、店員が頁片の差し替え作業を行う場合と同じ要領で頁片を取り外すことは難しくないので、心無い顧客が頁片を抜き取ってしまう悪戯を防ぐことは難しい。
【０００５】
先行技術文献情報の開示。
【特許文献１】実公平２−１４４５２号公報
【特許文献２】特許第３４５８３０８号公報
【発明の開示】
【発明が解決しようとする課題】
【０００６】
本発明は、従来の技術における上記のような問題点を解決するために、頁片の差し替えを簡単に行うことができ、総頁数が多少増減しても見栄えが悪くなったり頁片が抜け落ち易くなったりすることがなく、しかも、心無い顧客が頁片を抜き取ってしまう悪戯をも効果的に防ぐことができる、飲食店用のメニューブックなどとして好適なファイルブックを提供することを課題としてなされたものである。
【課題を解決するための手段】
【０００７】
上記の課題を解決するために、本発明は、断面略四角状の筒体の一壁面が内方へ陥没されて陥没壁面が形成され、該陥没壁面の中央長手方向にスリットが形成され、該陥没壁面に隣接する両側面には長手方向に複数箇所であって互いに対応する箇所に緊結具挿入用孔が形成されてなるクリップ部材と、表表紙部と、前記クリップ部材の陥没壁面に対向する底面の幅に相当する幅の背表紙部と、裏表紙部とが相互の境界部において折り曲げ可能にこの順に連接され、表表紙部及び裏表紙部の背表紙部近傍部分の天地方向に複数箇所であって前記クリップ部材の緊結具挿入用孔に対応する箇所に緊結具挿入用孔が形成されてなる表紙部材と、一端辺が前記クリップ部材のスリットに挿入可能に形成され、当該端辺近傍の天地方向に複数箇所であって前記クリップ部材の緊結具挿入用孔に対応する箇所に緊結具挿入用孔が形成されてなる、少なくとも一枚の頁片と、緊結状態において、前記クリップ部材、前記表紙部材及び前記表紙部材の緊結具挿入用孔に挿入可能な断面形状を有する柱状部と、該柱状部の長さ方向両端部に接続された、少なくとも前記表紙部材及び前記クリップ部材の緊結具挿入用孔に挿入不可能な断面形状を有する頭状部とを有し、少なくとも、前記クリップ部材の陥没壁面に隣接する両側面間の距離と、前記表紙部材の表表紙部の背表紙部近傍部分の厚みと、前記表紙部材の裏表紙部の背表紙部近傍部分の厚みとの和に相当する距離を、所定の工具を用いて可逆的に緊結及び解放可能な複数個の緊結具と、を少なくとも具備し、前記表紙部材を表表紙部、背表紙部、裏表紙部の相互の境界部で折り曲げて断面略コ字状になし、その背表紙部の内面に前記クリップ部材の陥没壁面と対向する底面を、表表紙部及び裏表紙部の背表紙部近傍部分の内面に該クリップ部材の陥没壁面に隣接する両側面をそれぞれ宛がい、且つ、該クリップ部材のスリットに前記少なくとも一枚の頁片の緊結具挿入用孔が形成された側の端辺を挿入した状態で、その天地方向の複数箇所において、表紙部材の表表紙部及び裏表紙部、クリップ部材の両側面及び頁片のそれぞれの緊結具挿入用孔を緊結具の柱状部が貫通し、表紙部材の表表紙部及び裏表紙部の外面の緊結具挿入用孔の近傍部分が緊結具の頭状部によって押えられるように、前記表紙部材、前記クリップ部材及び前記頁片が緊結具により緊結係止されてなることを特徴とするファイルブックを提供するものである。
【発明の効果】
【０００８】
本発明のファイルブックによれば、頁片の束は、その一端辺がクリップ部材のスリットに挿入されて、表紙部材とクリップ部材と頁片との緊結具挿入用孔を貫通して挿入された、所定の工具を用いて可逆的に緊結及び解放可能な緊結具によって緊結係止されているので、当該緊結具を所定の工具を用いて解放すれば、頁片の束はクリップ部材のスリットから簡単に抜き取ることができるようになる。そして、必要な加除を施した頁片の束を、再びクリップ部材のスリットに挿入し、表紙部材とともに再び緊結具によって緊結係止することで、頁片の差し替え作業を簡単に行うことができる。
【０００９】
しかも、頁片の枚数が多少増減することがあっても、クリップ部材のスリットの両側の陥没壁面の弾力性によって、頁片の束の厚みの差を吸収して適度に保持することができるので、頁片の枚数が少ない場合でも、綴じ部分で頁片が厚み方向にバタついたり、頁片の間が空けて見苦しくなったりすることがない。しかも、頁片はその緊結具挿入用孔に緊結具の柱状部が挿入されて綴じられているので、頁片が破断する程の大きな力が加えられない限り、ファイルブックを床に落としたり頁片を多少引っ張ったりした程度では、頁片が簡単に抜け落ちてしまうようなことはない。さらに、頁片の束を表紙部材及びクリップ部材と共に綴じて係止する緊結具としては、所定の工具を用いて緊結及び解放を行う型式のものを使用しているので、当該工具を所持していない限り頁片の抜き取りは不可能であるため、心無い顧客が頁片を抜き取ってしまう悪戯をも効果的に防ぐことができる。
【発明を実施するための最良の形態】
【００１０】
本発明のファイルブックは、図１ないし図４に図示した例のように、クリップ部材１０と、表紙部材２０と、１枚以上の頁片３０と、２個以上の緊結具４０とを少なくとも備えており、クリップ部材１０のスリット１２に頁片３０の一端辺を挿入して表紙部材２０でくるみ、緊結具４０により緊結係止して構成されるものである。
【００１１】
本発明のファイルブックにおけるクリップ部材１０としては、特許文献１に記載されているペーパークリップとほぼ同様の、断面略四角状の筒体の一壁面が内方へ陥没されて陥没壁面１１が形成され、該陥没壁面１１の中央長手方向にスリット１２が形成された構造のものを使用することができる。図面上では、スリット１２の開口幅は頁片３０の束の厚さより広く記載してあるが、実際上は、通常使用される枚数の頁片３０の束の厚さより若干狭くして、陥没壁面１１の弾力性を利用してそのスリット１２側の先端部を外側の頁片３０の表面に密着させて頁片３０の束を締め付けるようにした方が、頁片３０の間が空けて見えることがないので好ましい。もっとも、頁片３０の間の隙間が少なければ、見栄えへの悪影響も少ないので、特に頁片３０の枚数が少ない場合には、スリット１２の開口幅に若干の余裕があるような設計としても差し支えない。
【００１２】
クリップ部材１０の材質は、上記した弾力性の効果を利用できるように、例えばアルミニウム、真鍮、ステンレスなどの金属や、ポリ塩化ビニル、ナイロン、ポリプロピレンなどのプラスチックを使用することが好ましい。クリップ部材１０の陥没壁面１１を側面１３や底面１４よりも薄肉に形成すると、クリップ部材１０に全体として十分な強度を持たせながら、陥没壁面１１に十分な弾力性を持たせることができる。クリップ部材１０の陥没壁面１１に隣接する両側面１３には、長手方向に２箇所以上に、両側面１３のそれぞれ対応する箇所に、緊結具挿入用孔１５が形成される。この緊結具挿入用孔１５の形状は、緊結具４０の柱状部４３を挿入可能であるが頭状部４４は挿入不可能な形状であればよく、円形が一般的であるが、それ以外にも例えば四角形や六角形など任意の形状であってもよい。
【００１３】
クリップ部材１０の長さは、表紙部材１０の背表紙部２３の天地方向の長さとほぼ同じ長さとすることが好ましいが、それより若干短くてもよい。要は、表紙部材２０及び頁片３０の束を安定的に綴じ合わせるために必要な複数の緊結具４０の間隔が確保できる長さであればよい。また、表紙部材２０及び頁片３０の束の綴じ合わせという観点からは、クリップ部材１０は当該複数の緊結具４０の間隔を含む長さの全体に亘って存在している必要性は必ずしもなく、例えば、各々の緊結具４０の近傍部分にのみ存在しているように構成することも可能である。しかし、この様にクリップ部材１０が天地方向の一部分のみに存在している構成では、クリップ部材１０が存在しない部分におけるファイルブックの綴じ部側の強度が低下して折れ曲がり易くなることや、ファイルブックを開いた時の綴じ部側の見栄えがよくないことなどの短所があるので、クリップ部材１０が天地方向のほぼ全体に亘って存在する構成とすることが最も好ましい。
【００１４】
表紙部材２０は、互いにほぼ同形の長方形状の表表紙部２１及び裏表紙部２２と、それらの間に挟まれた天地方向に細長い長方形状の背表紙部２３とが、表表紙部２１と背表紙部２３との境界部及び背表紙部２３と裏表紙部２２との境界部において折り曲げ可能に連接された、全体として横長の長方形状の平板状体からなっている。その背表紙部２３の天地方向と直交する方向の幅は、前述したクリップ部材１０の陥没壁面１１に対向する底面１４の幅に相当する幅になっていて、表紙部材２０を表表紙部２１と背表紙部２３との境界部及び背表紙部２３と裏表紙部２２との境界部で断面略コ字状に折り曲げたときに、その背表紙２３の内面及び表表紙部２１と裏表紙部２２との背表紙部近傍部分２５の内面とで構成される断面略コ字状の空間に、クリップ部材１０がその底面１４を背表紙部２３の内面に、両側面１３を表表紙部２１と裏表紙部２２との背表紙部近傍部分２５の内面に当接して、すっぽりと嵌め合わされるようになっている。
【００１５】
そして、上記表紙部材２０の表表紙部２１及び裏表紙部２２の背表紙部近傍部分２５には、その天地方向に複数箇所であって、上記クリップ部材１０の両側面１３の緊結具挿入用孔１５に対応する箇所に、緊結具４０の柱状部４３を挿入可能であるが頭状部４４は挿入不可能な形状の緊結具挿入用孔２４が形成されている（図１では、表表紙部２１に形成された緊結具挿入用孔２４は、緊結具４０の頭状部４４の下に隠れている）。この表紙部材２０の緊結具挿入用孔２４の形状は、クリップ部材１０の緊結具挿入用孔１５の形状と同一であっても異なっていてもよく、また、表表紙部２１の緊結具挿入用孔２４の形状と裏表紙部２２の緊結具挿入用孔２４の形状とは、同一であっても異なっていてもよい。但し、緊結具４０によって緊結係止した状態で、表紙部材２０の緊結具挿入用孔２４の一部が緊結具４０の頭状部４４の外に食み出していると見栄えが悪いので、表紙部材２０の表表紙部２１及び裏表紙部２２の緊結具挿入用孔２４の形状は、緊結具４０の頭状部４４によって完全に覆い隠される形状とすることが好ましい。
【００１６】
表紙部材２０の表表紙部２１及び裏表紙部２２の背表紙部２３との境界部から所定の距離の箇所には折曲線２６が形成されていて、緊結具４０による緊結後も表表紙部２１及び裏表紙部２２を開いて中の頁片３０を見易いようにされている。この折曲線２６は、表表紙部２１の背表紙部近傍部分２５、背表紙部２３及び裏表紙部２２の背表紙部近傍部分２５から形成される断面略コ字状の空間にクリップ部材１０を嵌め合わせた状態での、クリップ部材１０の両側面１３と陥没壁面１１との間の稜の位置にほぼ対応する箇所に形成することが好ましい。
【００１７】
表紙部材２０の材質は、ある程度の強度と腰のあるものがよく、例えば板紙又は厚紙やプラスチックシート、合成紙、プラスチックフィルムラミネート紙などを使用することができる。特に、強度や耐久性、耐水性などの点で、プラスチックシート、合成紙又はプラスチックフィルムラミネート紙などが好ましい。表紙部材２０の内外面には必要に応じて適宜の絵柄や文字、文章などが印刷などにより施される。なお、表紙部材２０の形状は長方形状に限定されるものではなく、表表紙部２１及び裏表紙部２２の背表紙部２３側の端辺以外の部分は、例えば長方形の角を丸くした形状や、円形、楕円形、角を丸くしたか又は丸くしていない任意の多角形や、任意のキャラクターのシルエット形状など、任意の形状とすることができ、その一部がくり抜かれて窓部が形成されていたりしてもよい。
【００１８】
頁片３０は、表紙部材２０の表表紙部２１及び裏表紙部２２と略同形状の長方形状の平板状体からなっており、その一端辺（綴じ込み側の端辺）の近傍部分には、その天地方向の複数箇所であって、当該端辺を上記クリップ部材１０のスリット１２に挿入したときにクリップ部材１０の両側面の緊結具挿入用孔１５に対応する箇所に、緊結具挿入用孔３１が形成されている。この緊結具挿入用孔３１の形状は、クリップ部材１０の両側面の緊結具挿入用孔１５の形状や、表紙部材２０の表表紙部２１及び裏表紙部２２の背表紙部近傍部分に形成された緊結具挿入用孔２４の形状と同様のものであってもよいし、異なっていてもよい。但し、頁片３０の緊結具挿入用孔３１の形状及び寸法が、緊結具４０の柱状部４３の断面の形状及び寸法よりも大きいと、緊結具４０による緊結後も頁片３０が表紙部材２０及びクリップ部材１０に対して相対的に動けることになり、頁片がガタつく結果となるので、頁片３０の緊結具挿入用孔３１の形状及び寸法は、緊結具４０の柱状部４３の断面の形状及び寸法に対して、遊びの少ない形状及び寸法とすることが好ましい。
【００１９】
頁片３０の材質は、表紙部材２０の材質と同様のものを使用することができる。頁片３０の強度が不十分であると、頁片３０を引っ張ったりした際に、緊結具挿入用孔３１と端辺との間が破断して、頁片３０が簡単に脱落してしまう場合があるので、このような事故を防ぐためには、頁片３０の材質としてプラスチックシート、合成紙又はプラスチックフィルムラミネート紙などを使用して、頁片３０に十分な強度を持たせることが好ましい。頁片３０の片面又は両面に必要に応じて適宜の絵柄などの印刷を施し得ることや、頁片３０の綴じ込み側の端辺以外の部分を任意の形状としたり一部をくり抜いて窓部を形成したりし得ることも、表紙部材２０の場合と同様である。なお、表紙部材２０に窓部を形成する場合には、クリップ部材１０の両側面１４や底面１４に当接される部分を含むような窓部を形成すると見栄えがよくないが、頁片３０の場合にはその様な問題はなく、複数個の緊結具挿入用孔３１（緊結具挿入用孔３１が３個以上設けられる場合にはそのうちの少なくとも２個以上）が窓部に含まれないようにすれば、綴じ込み側の端辺の一部を含む窓部を形成することも差し支えない。
【００２０】
頁片３０をめくりながら見開いて見易いように、頁片３０の綴じ込み側の端辺から所定の箇所に、頁片３０をその両面側に向かって折り曲げ易くする折曲線を形成しておくことが好ましい。この折曲線は、頁片３０の綴じ込み側の端辺をクリップ部材１０のスリット１２に挿入した際に、クリップ部材１０の陥没壁面１１のスリット１２側の先端部が当接する位置に形成すると、最も効果的である。もっとも、陥没壁面１１の弾力性を利用してそのスリット１２側の先端部を頁片３０の枚数にかかわらず外側の頁片３０の表面に密着させるようにする場合には、頁片３０の枚数によって当接位置が変化することになる。従って、頁片３０の折曲線の位置は、頁片３０の綴じ込み側の端辺から折曲線までの距離が、少なくともクリップ部材１０の底面１４の内面から陥没壁面１１のスリット１２側の先端部までの高さ以上の距離となる位置であればよい。多くの場合、この距離は、クリップ部材１０の側面１３の幅（底面１４と側面１３との間の稜と、側面１３と陥没壁面１１との間の稜との間の距離）に相当する距離で代用することができる。
【００２１】
頁片３０は、１枚だけであってもよいし、２枚以上の複数枚であってもよい。頁片３０を複数枚の束としてクリップ部材１０に綴じ込む場合には、頁片３０の束をステープルなどによって綴じてからクリップ部材１０のスリット１２に挿入して綴じ込んでもよいし、頁片３０の束を特に事前に綴じたりせずにバラのままでクリップ部材１０のスリット１２に挿入して綴じ込んでもよい。後に頁片３０の束の一部を差し替える場合の手間を考慮すれば、後者の方法のほうが合理的であって、しかもそれで何の不都合もない。特許文献１に記載のペーパークリップを使用して単に綴じ合わせる場合と異なり、本発明によれば頁片３０はその緊結具挿入用孔３１に緊結具４０の柱状部４３が挿入されてクリップ部材１０及び表紙部材２０に緊結係止されるので、頁片３０が事前にステープルなどによって綴じられていなくても、緊結具４０によって緊結係止された使用状態において頁片３０が不用意に脱落するようなことはないからである。
【００２２】
緊結具４０は、上記したクリップ部材１０に表紙部材２０及び頁片３０を緊結係止して頁片３０が表紙部材２０の表表紙部２１と裏表紙部２２との間に綴じ込まれたファイルブックの形態を維持するために使用されるものである。本発明のファイルブックに使用する緊結具４０は、その緊結状態において、柱状部４３の長さ方向両端部に該柱状部４３よりも長さ方向と直交方向の断面積の大きな頭状部４４が接続された構造をしており、その柱状部４３の長さ方向と直交方向の断面形状は、クリップ部材１０、表紙部材２０及び頁片３０の緊結具挿入用孔１５、２４、３１に挿入可能な形状とされているとともに、その頭状部４４の長さ方向と直交方向の断面形状は、少なくともクリップ部材１０及び表紙部材２０の緊結具挿入用孔１５、２４に挿入不可能な形状とされており、その柱状部４３の長さ方向両端部に接続された双方の頭状部４４は、クリップ部材１０の一方の側面１３から底面１４を介して他方の側面１３にかけてその外面に宛がわれた表紙部材２０の、その一方の側面１３上の表表紙部２１の背表紙部近傍部分の外面から、他方の側面１３上の裏表紙部２２の背表紙部近傍部分の外面までの厚みを、緊結係止可能なものである必要がある。さらに、この緊結具４０は、素手では緊結及び解放の作業の実施が不可能であるが、所定の工具を用いて可逆的に緊結及び解放の作業の実施が可能なものであることが重要である。
【００２３】
図示した例では、緊結具４０はそれぞれの頭状部４４が略同大の円盤状体からなる雄ネジ４１と雌ネジ４２との組から構成されており、該雌ネジ４２の柱状部４３は、クリップ部材１０の一方の側面１３上の表表紙部２１の外面から他方の側面１３上の裏表紙部２２の外面までの距離に相当する長さの略円柱状に形成されていて、その頭状部４４とは反対側の面から内部に向かって、雄ネジ４１と螺合可能なネジ孔が穿設されている。そして、雄ネジ４１の頭状部４４には＋（プラス）字状の溝（図１参照）が形成されており、＋（プラス）のドライバー（ネジ回し）を使用して雌ネジ４２と可逆的に緊結及び解放できるように構成されている。
【００２４】
本発明に使用する緊結具４０は上記した例に限定されるものではなく、その緊結及び解放の作業に使用する所定の工具としては、上記した＋（プラス）のドライバーの代わりに−（マイナス）のドライバーでもよいことは勿論、ドライバー以外にも例えば六角レンチ、スパナ、鍵など任意の工具を使用するものであってよい。また、その緊結及び解放の機構としても、上記したネジ機構以外にも例えばシリンダー錠機構やその他の任意の嵌合機構などを採用してもよい。柱状部４３の形状も円柱状に限定されるものではなく、例えば角柱状や角を丸くした角柱状、六角柱状、楕円柱状など任意の断面形状を有する柱状であってよい。頭状部４４の形状も同様に円盤状に限定されず、四角板状や六角板状などの任意の多角板状や、半球状などであってもよい。さらに、図示した例では柱状部４３の外形部分の全体が緊結具４０を構成する組の一方（雌ネジ）に属しているが、この柱状部４３を双方に分割して属させた構成としてもよい（例えば、雄ネジを頭状部と柱状部の一部とその先端に突設したネジ部とから構成し、雌ネジを頭状部と柱状部の残部とその内部に穿設したネジ孔とから構成したものなど）。緊結具４０の材質は鋼、真鍮、ステンレスなどの金属が好ましいが、十分な強度や耐久性を有するものであれば例えばナイロン、ポリプロピレンなどのプラスチックであってもよい。
【００２５】
本発明のファイルブックは、以上に説明したクリップ部材１０、表紙部材２０、頁片３０及び複数個の緊結具４０を使用して、まず表紙部材２０を表表紙部２１と背表紙部２３との境界部及び背表紙部２３と裏表紙部２２との境界部でそれぞれ略直角に折り曲げて断面略コ字状になし、その表表紙部２１の背表紙部近傍部分の内面と、背表紙部２３の内面と、裏表紙部２２の背表紙部近傍部分の内面とによって囲まれる断面略コ字状の空間に、その背表紙部２３の内面にクリップ部材１０の陥没壁面１１と対向する底面１４が、表表紙部２１及び裏表紙部２２の背表紙部近傍部分の内面にクリップ部材１０の陥没壁面１１に隣接する両側面１３がそれぞれ当接するように、クリップ部材１０を嵌め込み、該クリップ部材１０のスリット１２に、頁片３０（複数枚である場合はその束）の綴じ込み側の端辺、つまり緊結具挿入用孔３１が形成された側の端辺を挿入して、クリップ部材１０、表紙部材２０及び頁片３０の複数の緊結具挿入用孔１５、２４、３１の位置を合わせた状態として、これに緊結具４０の柱状部４３を挿入し、緊結具挿入用孔１５、２４の近傍部分で表紙部材２０の表表紙部２１及び裏表紙部２２の背表紙部近傍部分の外面が緊結具４０の頭状部４４によって押えられるように、緊結具４０を所定の工具を使用して緊結して、クリップ部材１０、表紙部材２０及び頁片３０を係止することによって得ることができる。
【００２６】
なお、クリップ部材１０を断面略コ字状に折り曲げた表紙部材２０の内面に宛がう前に、クリップ部材１０のスリット１２に頁片３０の端辺を挿入してもよいし、この両者を同時に行ってもよい。また、頁片３０は頻繁に差し替えることが見込まれる一方で、表紙部材２０は滅多に差し替えないことが見込まれる場合には、表紙部材２０の内面のクリップ部材１０の両側面及び底面に宛がわれる部分の全部又は一部を、適宜の接着剤又は粘着テープなどによってクリップ部材１０に貼り付けておくと、緊結具４０を解放しても表紙部材２０とクリップ部材１０とが分離しないので、頁片３０の差し替え作業が簡単になる利点がある。表紙部材２０も頻繁に差し替えることが見込まれる場合であっても、表紙部材２０とクリップ部材１０との貼り付けに繰り返し貼着及び剥離可能な弱粘着型の粘着剤又は粘着テープなどを使用すれば、表紙部材２０の差し替えをそれほど阻害することなく、本発明のファイルブックの組立作業の作業性を向上させることができる。
【００２７】
本発明のファイルブックに綴じ込まれた頁片３０を差し替えるためには、所定の工具を用いて緊結具４０を解放してその柱状部４３を頁片３０の緊結具挿入用孔４１から引き抜き、不要となった頁片３０をクリップ部材１０から引き抜き、新たに必要となった頁片３０をクリップ部材１０に挿入してから、再び緊結具４０を装着して所定の工具を用いて緊結係止すればよい。表紙部材２０を差し替える場合も同様で、所定の工具を用いて緊結具４０を解放してこれを除去し、不要となった表紙部材２０をクリップ部材１０から取り去り、新たな表紙部材２０をクリップ部材１０に宛がってから、再び緊結具４０を装着して所定の工具を用いて緊結係止すればよい。
【００２８】
このように、例えば本発明のファイルブックを飲食店のメニューブックとして使用する場合の飲食店の店員のような、本発明のファイルブックの管理者が、緊結具４０の緊結及び解放作業のための所定の工具を所持してさえいれば、当該管理者は本発明のファイルブックの頁片３０や表紙部材２０の差し替え作業を簡単に実施することができる。その一方で、例えば上記の例の飲食店の来店客のような、本発明のファイルブックの一般の使用者は、通常は工具類を所持していないので、管理者に無断で一部の頁片３０又は表紙部材２０を抜き取ってしまうような悪戯をされることがない。所定の工具として、汎用のドライバーなどに代えて、通常は市販されていない特殊な規格の工具や特殊な形状の鍵などを使用する緊結具４０を使用することによって、更に安全性を高めることもできる。
【００２９】
また、頁片３０は、その緊結具挿入用孔３１に緊結具４０の柱状部４３が貫通挿入されて係止されているので、頁片３０が破断する程の大きな力が加わらない限り、ファイルブックを床に落としたり頁片３０を引っ張ったりしても、頁片３０が簡単に抜け落ちることがない。しかも、本発明のファイルブックは比較的に簡単な構造で製作も簡単でありながら、外観も普通の本の綴じ目側に複数の緊結具が加わった程度で十分にスマートであり、頁片３０の枚数が少ない場合でも、頁を開いた際に綴じ部側で頁片３０がバタついたり頁間が空けて見苦しかったりすることもない。
【００３０】
このような特徴を有する本発明のファイルブックは、差し替えの簡単さとともに見栄えが重要視される飲食店用のメニューブックとしても十分に実用に堪え得ることは勿論のこと、その他にも例えば宿泊施設や娯楽施設などにおけるガイドブックや、商品カタログ・見本帳類などとして幅広く応用することができる。
【図面の簡単な説明】
【００３１】
【図１】本発明のファイルブックの実施の形態の一例を示す模式正面図。
【図２】本発明のファイルブックの実施の形態の一例を示す一部拡大模式底面図。
【図３】本発明のファイルブックの実施の形態の一例の組立工程を示す一部拡大模式断面図。
【図４】本発明のファイルブックの実施の形態の一例を示す一部拡大模式断面図。
【符号の説明】
【００３２】
１０‥‥クリップ部材
１１‥‥陥没壁面
１２‥‥スリット
１３‥‥側面
１４‥‥底面
１５‥‥緊結具挿入用孔
２０‥‥表紙部材
２１‥‥表表紙部
２２‥‥裏表紙部
２３‥‥背表紙部
２４‥‥緊結具挿入用孔
２５‥‥背表紙部近傍部分
２６‥‥折曲線
３０‥‥頁片
３１‥‥緊結具挿入用孔
４０‥‥緊結具
４１‥‥雄ネジ
４２‥‥雌ネジ
４３‥‥柱状部
４４‥‥頭状部
【図１】
2009066910.tif 000003
【図２】
2009066910.tif 000004
【図３】
2009066910.tif 000005
【図４】
2009066910.tif 000006